(57)【要約】【課題】  製造コストが安価で、分割比を精度よく微調整することができる高圧用可変抵抗器を提供する。【解決手段】  絶縁基板２０の表面には、電圧検出用の分割固定抵抗Ｒ１〜Ｒ３および分割可変抵抗ＶＲ１、固定抵抗Ｒ４〜Ｒ７、フォーカス電圧調整用可変抵抗ＶＲ２およびスクリーン電圧調整用可変抵抗ＶＲ３の各皮膜抵抗体が形成されている。分割固定抵抗Ｒ１は蛇行状パターンであり、高抵抗値を有している。分割固定抵抗Ｒ１の一端は高圧入力端子ＴＨＶに接続し、他端は分割可変抵抗ＶＲ１の一端に接続している。分割可変抵抗ＶＲ１は円弧状パターンを有しており、その他端は分割固定抵抗Ｒ２の一端に接続している。分割固定抵抗Ｒ２の他端は電圧検出端子Ｄに接続している。電圧検出端子Ｄとグランド端子Ｇの間には、低抵抗値を有している幅広パターンの分割固定抵抗Ｒ３が接続されている。【選択図】  図３
2005268628.tif 000002
【特許請求の範囲】
【請求項１】
高圧入力端子とグランド端子との間に電圧検出用の複数の分割抵抗が電気的に直列に接続され、該直列に接続された複数の分割抵抗の途中に電圧検出端子が電気的に接続され、前記複数の分割抵抗の少なくとも一つが可変抵抗であり、フォーカス電圧調整用抵抗もしくはスクリーン電圧調整用抵抗が設けられている絶縁基板に、前記可変抵抗と前記電圧検出端子と前記高圧入力端子と前記グランド端子とが設けられていることを特徴とする高圧用可変抵抗器。
【請求項２】
電圧検出用の前記可変抵抗が、前記電圧検出端子と前記高圧入力端子との間に電気的に接続されていることを特徴とする請求項１に記載の高圧用可変抵抗器。
【請求項３】
前記電圧検出端子と前記高圧入力端子との間に、電圧検出用の複数の分割抵抗が電気的に接続され、該複数の分割抵抗の一つが可変抵抗であることを特徴とする請求項２に記載の高圧用可変抵抗器。
【請求項４】
前記電圧検出端子と前記グランド端子との間に電気的に接続された電圧検出用の分割抵抗が、別体の固定抵抗であることを特徴とする請求項２または請求項３に記載の高圧用可変抵抗器。
【請求項５】
請求項１，請求項２，請求項３又は請求項４に記載の高圧用可変抵抗器と高圧用コンデンサとが絶縁ケースに収納されていることを特徴とする高圧用可変抵抗器。
【発明の詳細な説明】
【技術分野】
【０００１】
本発明は、高圧用可変抵抗器、特に、テレビ受像機などのフォーカス電圧やスクリーン電圧を調整するために用いられる高圧用可変抵抗器に関する。
【背景技術】
【０００２】
従来より、この種の高圧用可変抵抗器として、特許文献１に記載のものが知られている。図６はこの高圧用可変抵抗器１０１の電気回路図である。高圧用可変抵抗器１０１は、ブラウン管へアノード電圧を供給するフライバックトランスＦＢＴの出力端子から直接入力電圧を得ている。高圧用可変抵抗器１０１の入力端子ＴＨＶとアース間に、固定抵抗Ｒ１３〜Ｒ１６および可変抵抗ＶＲ１１，ＶＲ１２からなる直列回路が接続されるとともに、電圧検出用分割抵抗Ｒ１１，Ｒ１２の直列回路、並びに、コンデンサＣがそれぞれ接続されている。フォーカス電圧調整用可変抵抗ＶＲ１１の中間端子からは固定抵抗Ｒ１７を介してフォーカス電圧が出力され、スクリーン電圧調整用可変抵抗ＶＲ１２の中間端子からはスクリーン電圧が出力される。
【０００３】
電圧検出用分割抵抗Ｒ１１，Ｒ１２はアノード電圧の変動を検出するために設けられ、電圧検出用分割抵抗Ｒ１１，Ｒ１２の接続点での分圧された検出用電圧は高電圧発生源にフィードバックされる。検出用電圧は、通常、アノード電圧の１／３０００〜１／２０００に設定される。コンデンサＣは、テレビ受像機の画面の歪みを補正するための画面補正用コンデンサである。
【０００４】
この高圧用可変抵抗器１０１は、図７に示すような構造を有している。すなわち、一面開口状の合成樹脂製の絶縁ケース１１０の内部には、仕切壁１１０ａが形成されている。そして、一方の収容部に、フォーカス電圧調整用可変抵抗ＶＲ１１およびスクリーン電圧調整用可変抵抗ＶＲ１２などが設けられている絶縁基板１２０が接着固定されている。他方の収容部には、電圧検出用分割抵抗Ｒ１１，Ｒ１２が設けられている固定抵抗器１６０と、コンデンサＣが収納固定されている。
【０００５】
絶縁基板１２０の表面には、図示しないが、固定抵抗Ｒ１３〜Ｒ１７およびフォーカス電圧調整用可変抵抗ＶＲ１１およびスクリーン電圧調整用可変抵抗ＶＲ１２の各皮膜抵抗体が形成されている。絶縁ケース１１０の絶縁基板１２０と対向する前面部には、フォーカス電圧調整用可変抵抗ＶＲ１１およびスクリーン電圧調整用可変抵抗ＶＲ１２の皮膜抵抗体上を摺動する摺動子を備えた回転軸が軸受けされている。つまり、絶縁基板１２０や摺動子を備えた回転軸などにより可変抵抗ＶＲ１１，ＶＲ１２が構成されている。
【０００６】
固定抵抗器１６０は、例えば図８に示すように、絶縁基板１６１の表面に、皮膜抵抗体からなる電圧検出用分割抵抗Ｒ１１，Ｒ１２が設けられている。分割抵抗Ｒ１１は蛇行状パターンであり、中央部にトリミングパターン１６２を有している。分割抵抗Ｒ１２は幅広状パターンであり、全体がトリミングパターンとされる。そして、固定抵抗器１６０の製造時に、分割抵抗Ｒ１１のトリミングパターン１６２や分割抵抗Ｒ１２の幅広状パターンの一部を削除することによって、分割比を変えて検出用電圧を微調整していた。
【０００７】
しかしながら、従来の高圧用可変抵抗器１０１は、電圧検出用分割抵抗Ｒ１１，Ｒ１２が別体の固定抵抗器１６０に形成されているので、製造コストが高いという問題があった。また、電圧検出用分割抵抗Ｒ１１，Ｒ１２の分割比が異なる毎に、固定抵抗器１６０の品種を増やす必要があり、製造管理が煩雑であった。さらに、電圧検出用分割抵抗Ｒ１１，Ｒ１２の分割比公差も±２％までしかできず、厳しい公差に対応できなかった。
【特許文献１】特開平９−１３９３０２号公報
【発明の開示】
【発明が解決しようとする課題】
【０００８】
そこで、本発明の目的は、製造コストが安価で、分割比を精度よく微調整することができる高圧用可変抵抗器を提供することにある。
【課題を解決するための手段】
【０００９】
前記目的を達成するため、本発明に係る高圧用可変抵抗器は、高圧入力端子とグランド端子との間に電圧検出用の複数の分割抵抗が電気的に直列に接続され、該直列に接続された複数の分割抵抗の途中に電圧検出端子が電気的に接続され、複数の分割抵抗の少なくとも一つが可変抵抗であり、フォーカス電圧調整用抵抗もしくはスクリーン電圧調整用抵抗が設けられている絶縁基板に、可変抵抗と電圧検出端子と高圧入力端子とグランド端子とが設けられていることを特徴とする。
【００１０】
電圧検出用の分割抵抗を、フォーカス電圧調整用抵抗もしくはスクリーン電圧調整用抵抗が設けられている絶縁基板に設けることにより、別体の電圧検出用分割抵抗を組み付ける必要がなくなり、製造コストが安価になる。さらに、複数の分割抵抗の少なくとも一つを可変抵抗にすることにより、分割比が可変となる。
【００１１】
本発明に係る高圧用可変抵抗器においては、電圧検出用の可変抵抗を、電圧検出端子と高圧入力端子との間に電気的に接続することにより、検出出力電位より高圧側に電圧検出用の可変抵抗を設けてもよい。
【００１２】
また、電圧検出端子とグランド端子との間に電気的に接続された電圧検出用の分割抵抗が、別体の固定抵抗であってもよい。
【００１３】
さらに、前記高圧用可変抵抗器と高圧用コンデンサとが絶縁ケースに収納されていてもよい。
【発明の効果】
【００１４】
本発明によれば、電圧検出用の分割抵抗を、フォーカス電圧調整用抵抗もしくはスクリーン電圧調整用抵抗が設けられている絶縁基板に設けることにより、別体の電圧検出用分割抵抗を組み付ける必要がなくなり、製造コストを安価にすることができる。さらに、複数の分割抵抗の少なくとも一つを可変抵抗にすることにより、分割比を精度よく微調整することができる。また、分割比が可変となるので、従来の高圧用可変抵抗器の場合と異なり、電圧検出用分割抵抗の分割比が異なる毎に、固定抵抗器の品種を増やす必要がなくなり、多様な仕様に容易に対応できる高圧用可変抵抗器が得られる。
【発明を実施するための最良の形態】
【００１５】
以下、本発明に係る高圧用可変抵抗器の実施例について添付の図面を参照して説明する。
【００１６】
［第１実施例、図１〜図３］
図１に示すように、高圧用可変抵抗器１は、ブラウン管へアノード電圧を供給するフライバックトランスＦＢＴの２次側の中間タップから直接入力電圧を得ている。ただし、フライバックトランスＦＢＴの出力端子から直接入力電圧を得てもよいことは言うまでもない。
【００１７】
高圧用可変抵抗器１０１の高圧入力端子ＴＨＶとグランド端子Ｇ間には、固定抵抗Ｒ４〜Ｒ６および可変抵抗ＶＲ２，ＶＲ３からなる直列回路が接続されるとともに、電圧検出用の分割固定抵抗Ｒ１〜Ｒ３および分割可変抵抗ＶＲ１からなる直列回路、並びに、高圧用コンデンサＣがそれぞれ接続されている。フォーカス電圧調整用可変抵抗ＶＲ２の中間端子は、固定抵抗Ｒ７を介してフォーカス電圧出力端子Ｆに接続している。スクリーン電圧調整用可変抵抗ＶＲ３の中間端子は、スクリーン電圧出力端子Ｓに接続している。
【００１８】
電圧検出用の分割固定抵抗Ｒ１〜Ｒ３および分割可変抵抗ＶＲ１は、フライバックトランスＦＢＴのアノード電圧の変動を検出するために設けられている。電圧検出用分割固定抵抗Ｒ２，Ｒ３の接続点での分圧された検出用電圧は、電圧検出端子Ｄから高電圧発生源にフィードバックされる。検出用電圧は、通常、アノード電圧の１／３０００〜１／２０００に設定される。電圧検出用の分割可変抵抗ＶＲ１は、分割固定抵抗Ｒ１，Ｒ２とともに高圧入力端子ＴＨＶと電圧検出端子Ｄとの間に電気的に接続されている。つまり、検出出力電位より高圧側に電圧検出用の分割可変抵抗ＶＲ１を設けている。
【００１９】
固定抵抗Ｒ４は、入力電圧の６０％以上の高電圧が加わるように設定される。コンデンサＣは、テレビ受像機の画面の歪みを補正するための画面補正用コンデンサである。
【００２０】
この高圧用可変抵抗器１は、図２に示すような構造を有している。すなわち、一面開口状の合成樹脂製の絶縁ケース２の内部には、仕切壁２ａが形成されている。そして、一方の収容部に、電圧検出用分割可変抵抗ＶＲ１、抵抗フォーカス電圧調整用可変抵抗ＶＲ２およびスクリーン電圧調整用可変抵抗ＶＲ３などが設けられている絶縁基板２０が収納固定されている。他方の収容部には、高圧用コンデンサＣが収納固定されている。
【００２１】
絶縁基板２０の表面には、図３に示すように、電圧検出用の分割固定抵抗Ｒ１〜Ｒ３および分割可変抵抗ＶＲ１、固定抵抗Ｒ４〜Ｒ７、フォーカス電圧調整用可変抵抗ＶＲ２およびスクリーン電圧調整用可変抵抗ＶＲ３の各皮膜抵抗体が形成されている。さらに、絶縁基板２０には、高圧入力端子ＴＨＶと電圧検出端子Ｄとフォーカス電圧端子Ｆとスクリーン電圧端子Ｓとグランド端子Ｇとが設けられている。
【００２２】
分割固定抵抗Ｒ１は蛇行状パターンであり、高抵抗値を有している。分割固定抵抗Ｒ１の一端は高圧入力端子ＴＨＶに接続し、他端は分割可変抵抗ＶＲ１の一端に接続している。分割可変抵抗ＶＲ１は円弧状パターンを有しており、その他端は分割固定抵抗Ｒ２の一端に接続している。分割固定抵抗Ｒ２の他端は電圧検出端子Ｄに接続している。電圧検出端子Ｄとグランド端子Ｇに間には、低抵抗値を有している幅広パターンの分割固定抵抗Ｒ３が接続されている。
【００２３】
一方、固定抵抗Ｒ４の一端は高圧入力端子ＴＨＶに接続し、他端はフォーカス電圧調整用可変抵抗ＶＲ２の一端に接続している。フォーカス電圧調整用可変抵抗ＶＲ２は円弧状パターンを有しており、その他端は固定抵抗Ｒ５の一端に接続している。フォーカス電圧調整用可変抵抗ＶＲ２の中間端子は、固定抵抗Ｒ７の一端に接続している。固定抵抗Ｒ７の他端はフォーカス電圧出力端子Ｆに接続している。固定抵抗Ｒ５の他端はスクリーン電圧調整用可変抵抗ＶＲ３の一端に接続している。スクリーン電圧調整用可変抵抗ＶＲ３は円弧状パターンを有しており、その他端は固定抵抗Ｒ６の一端に接続している。スクリーン電圧調整用可変抵抗ＶＲ３の中間端子は、スクリーン電圧出力端子Ｓに接続している。分割固定抵抗Ｒ６の他端はグランド端子Ｇに接続している。
【００２４】
絶縁ケース２の絶縁基板２０と対向する前面部には、図示しないが、分割可変抵抗ＶＲ１、フォーカス電圧調整用可変抵抗ＶＲ２およびスクリーン電圧調整用可変抵抗ＶＲ３の皮膜抵抗体上を摺動する摺動子を備えた回転軸が軸受けされている。つまり、絶縁基板２０や摺動子を備えた回転軸などにより可変抵抗ＶＲ１，ＶＲ２，ＶＲ３が構成されている。
【００２５】
以上の構成からなる高圧用可変抵抗器１は、電圧検出用の分割固定抵抗Ｒ１〜Ｒ３および分割可変抵抗ＶＲ１を、フォーカス電圧調整用可変抵抗ＶＲ２やスクリーン電圧調整用可変抵抗ＶＲ３が設けられている絶縁基板２０に設けたので、別体の電圧検出用分割抵抗を組み付ける必要がなくなり、製造コストを安価にすることができる。
【００２６】
さらに、電圧検出用の複数の分割抵抗の一つを可変抵抗ＶＲ１にしたので、可変抵抗ＶＲ１の抵抗値を変えることによって、分割比を精度よく微調整することができる。より具体的には、高圧用可変抵抗器１の分割比は、Ｒ３／（Ｒ１＋ＶＲ１＋Ｒ２＋Ｒ３）となり、可変抵抗ＶＲ１の抵抗値を調整することで所定の分割比を得る。例えば、Ｒ１＝３６０ＭΩ、ＶＲ１＝（０〜６７ＭΩの可変）、Ｒ２＝１０ＭΩ、Ｒ３＝２２０ＫΩのときの分割比は、１／１６８２から１／１９８７まで調整できる。計算式の分母の抵抗値を調整するので、調整感度が高い。なお、固定分割抵抗Ｒ２は必ずしも設ける必要はない。
【００２７】
また、分割比が可変となるので、図６〜図８に示した従来の高圧用可変抵抗器１０１の場合と異なり、電圧検出用分割抵抗の分割比が異なる毎に、固定抵抗器１６０の品種を増やす必要がなくなり、多様な仕様に容易に対応できる高圧用可変抵抗器１が得られる。
【００２８】
［第２実施例、図４］
図４に示すように、高圧用可変抵抗器１Ａは、電圧検出用の分割固定抵抗Ｒ１および分割可変抵抗ＶＲ１からなる直列回路を残して、前記第１実施例の高圧用可変抵抗器１と同様の回路構成をしている。
【００２９】
電圧検出用の分割固定抵抗Ｒ１および分割可変抵抗ＶＲ１は、フライバックトランスＦＢＴのアノード電圧の変動を検出するために設けられている。分割固定抵抗Ｒ１と分割可変抵抗ＶＲ１の接続点での分圧された検出用電圧は、電圧検出端子Ｄから高電圧発生源にフィードバックされる。電圧検出用の分割可変抵抗ＶＲ１は、電圧検出端子Ｄとグランド端子Ｇの間に電気的に接続されている。つまり、検出出力電位より低圧側に電圧検出用の分割可変抵抗ＶＲ１を設けている。
【００３０】
図示しないが、電圧検出用の分割固定抵抗Ｒ１および分割可変抵抗ＶＲ１は、フォーカス電圧調整用可変抵抗ＶＲ２やスクリーン電圧調整用可変抵抗ＶＲ３が設けられている絶縁基板に設けられている。従って、高圧用可変抵抗器１Ａは、別体の電圧検出用分割抵抗を組み付ける必要がなくなり、製造コストを安価にすることができる。
【００３１】
さらに、電圧検出用の複数の分割抵抗の一つを可変抵抗ＶＲ１にしたので、可変抵抗ＶＲ１の抵抗値を変えることによって、分割比を精度よく微調整することができる。より具体的には、高圧用可変抵抗器１Ａの分割比は、ＶＲ１／（Ｒ１＋ＶＲ１）となり、可変抵抗ＶＲ１の抵抗値を調整することで所定の分割比を得る。例えば、Ｒ１＝３６０ＭΩ、ＶＲ１＝（１００〜３００ＫΩの可変）のときの分割比は、１／１３３３から１／４０００まで調整できる。これにより、調整感度は低くなるが、調整範囲が広くなる。
【００３２】
［第３実施例、図５］
第３実施例の高圧用可変抵抗器は、図５に示す絶縁基板２０Ａを備えたものである。すなわち、第３実施例の高圧用可変抵抗器は、電圧検出用の分割固定抵抗Ｒ３を残して、前記第１実施例の高圧用可変抵抗器１と同様の構造を有しており、その電気回路構成は前記第１実施例の高圧用可変抵抗器１と同様のものである。
【００３３】
絶縁基板２０Ａの表面には、電圧検出用の分割固定抵抗Ｒ１，Ｒ２および分割可変抵抗ＶＲ１、固定抵抗Ｒ４〜Ｒ７、フォーカス電圧調整用可変抵抗ＶＲ２およびスクリーン電圧調整用可変抵抗ＶＲ３の各皮膜抵抗体が形成されている。さらに、絶縁基板２０Ａには、高圧入力端子ＴＨＶと電圧検出端子Ｄとフォーカス電圧端子Ｆとスクリーン電圧端子Ｓとグランド端子Ｇとが設けられている。そして、電圧検出端子Ｄとグランド端子Ｇの間には、別体の低抵抗値の固定抵抗器Ｒ３が接続されている。
【００３４】
以上の構成からなる高圧用可変抵抗器は、前記第１実施例と同様の作用効果を奏する。
【００３５】
［他の実施例］
なお、本発明は、前記実施例に限定されるものではなく、その要旨の範囲内で種々に変更することができる。たとえば、画面補正用コンデンサＣが内蔵されていない高圧用可変抵抗器であってもよい。また、図示しないが、パラボラ波形電圧を入力するためのダイナミックフォーカス用結合コンデンサ、平滑用コンデンサなどが取り付けられた高圧用可変抵抗器であってもよい。
【００３６】
また、絶縁基板２０は、フォーカス電圧調整用抵抗ＶＲ２もしくはスクリーン電圧調整用抵抗ＶＲ３のいずれか一つが設けられているものであってもよい。
【図面の簡単な説明】
【００３７】
【図１】本発明に係る高圧用可変抵抗器の第１実施例を示す電気回路図。
【図２】図１に示した高圧用可変抵抗器の背面図。
【図３】図２に示した絶縁基板の平面図。
【図４】本発明に係る高圧用可変抵抗器の第２実施例を示す電気回路図。
【図５】本発明に係る高圧用可変抵抗器の第３実施例を示す絶縁基板の平面図。
【図６】従来の高圧用可変抵抗器を示す電気回路図。
【図７】図６に示した高圧用可変抵抗器の背面図。
【図８】図７に示した固定抵抗器の正面図。
【符号の説明】
【００３８】
１，１Ａ…高圧用可変抵抗器
２０，２０Ａ…絶縁基板
Ｒ１〜Ｒ７…固定抵抗
ＶＲ１…分割用可変抵抗
ＶＲ２…フォーカス電圧調整用抵抗
ＶＲ３…スクリーン電圧調整用抵抗
ＴＨＶ…高圧入力端子
Ｄ…電圧検出端子
Ｇ…グランド端子
Ｃ…高圧用コンデンサ
【図１】
2005268628.tif 000003
【図２】
2005268628.tif 000004
【図３】
2005268628.tif 000005
【図４】
2005268628.tif 000006
【図５】
2005268628.tif 000007
【図６】
2005268628.tif 000008
【図７】
2005268628.tif 000009
【図８】
2005268628.tif 000010